(57)【要約】【課題】  尿の比重及び導電率の測定結果をチェックして、当該測定結果の信頼性を評価することが可能な測定結果チェック方法、測定結果チェックシステム、測定結果チェック装置、及びコンピュータプログラムを提供する。【解決手段】  本発明に係る測定結果チェックシステム１は、分析対象として与えられた尿の比重を測定する尿定性分析装置２と、前記尿の導電率を測定する尿中有形成分分析装置３と、尿の比重と導電率との相関関係を記憶する記憶部と、前記尿定性分析装置２によって測定された尿の比重と前記尿中有形成分分析装置３によって測定された尿の導電率とが、前記記憶部に記憶された相関関係に適合するか否かを判別する判別手段と、当該判別手段の判別結果を出力する出力手段とを備える。【選択図】      図１
2006098219.tif 000002
【特許請求の範囲】
【請求項１】
分析対象として与えられた尿の比重を測定するステップと、
前記尿の導電率を測定するステップと、
測定した尿の比重と導電率とが、予め与えられた尿の比重と導電率との相関関係に適合するか否かを判別するステップと、
測定した尿の比重と導電率とが前記相関関係に適合しない場合に、当該尿の比重及び導電率は信頼性が低い旨を表示するステップと
を有する測定結果チェック方法。
【請求項２】
前記尿の導電率を測定するステップでは、前記尿を温度制御して、前記尿の導電率を測定する請求項１に記載の測定結果チェック方法。
【請求項３】
測定した尿の比重と導電率とが、前記相関関係に適合するか否かを判別するステップの後に、
前記尿の糖濃度を測定するステップと、
測定した糖濃度と予め与えられた閾値とを比較するステップと、
測定した糖濃度が前記閾値を超える場合に、測定した尿の導電率は信頼性が低い旨を表示するステップと
をさらに有する請求項１又は２に記載の測定結果チェック方法。
【請求項４】
分析対象として与えられた尿の比重を測定する第１分析装置と、
前記尿の導電率を測定する第２分析装置と、
尿の比重と導電率との相関関係を記憶する記憶部と、
前記第１分析装置によって測定された尿の比重と前記第２分析装置によって測定された尿の導電率とが、前記記憶部に記憶された相関関係に適合するか否かを判別する判別手段と、
当該判別手段の判別結果を出力する出力手段と
を備える測定結果チェックシステム。
【請求項５】
前記第２分析装置は、前記尿を温度制御する温度制御部を有し、当該温度制御部によって温度制御された前記尿の導電率を測定するように構成されている請求項４に記載の測定結果チェックシステム。
【請求項６】
前記尿の糖濃度を測定する糖濃度測定部と、
当該糖濃度測定部によって測定された糖濃度と、予め与えられた閾値とを比較する比較手段とをさらに備え、
前記出力手段は、当該比較手段の比較の結果、前記糖濃度が前記閾値を超える場合に、測定した導電率は信頼性が低い旨を出力するように構成されている請求項４又は５に記載の測定結果チェックシステム。
【請求項７】
尿の比重と導電率との相関関係の入力を受け付ける設定受付手段と、
当該設定受付手段によって入力を受け付けた尿の比重と導電率との相関関係を、前記記憶部に書き込む書込手段と
をさらに備える請求項４乃至６のいずれかに記載の測定結果チェックシステム。
【請求項８】
前記第２分析装置は、オリフィスが設けられており、当該オリフィスに分析対象の尿が含まれた試料を通流させるためのフローセルと、前記オリフィスを挟んで設けられた一対の電極と、当該電極間に電流を供給する電源と、前記試料の導電率を測定する導電率センサと、当該導電率センサの測定値に基づいて、前記電源から前記電極間に供給される電流を制御する電流制御部と、前記電極間のインピーダンス変化を検出するインピーダンス変化検出部とを有し、前記インピーダンス変化検出部によって検出されるインピーダンスの変化に基づいて、前記オリフィスを通過する尿中有形成分の形態を検出するように構成されている請求項４乃至７のいずれかに記載の測定結果チェックシステム。
【請求項９】
前記第１分析装置は、尿の潜血濃度を測定するように構成されており、
前記第２分析装置は、尿の赤血球濃度を測定するように構成されており、
前記記憶部は、尿の潜血濃度と赤血球濃度との相関関係を記憶しており、
前記第１分析装置によって測定された尿の潜血濃度と前記第２分析装置によって測定された尿の赤血球濃度とが、前記記憶部に記憶された尿の潜血濃度と赤血球濃度との相関関係に適合するか否かを判別する判別手段をさらに備え、
前記出力手段は、当該判別手段の判別結果を出力するように構成されている請求項４乃至８のいずれかに記載の測定結果チェックシステム。
【請求項１０】
前記第１分析装置は、尿の白血球濃度を測定するように構成されており、
前記第２分析装置は、尿の白血球濃度を測定するように構成されており、
前記記憶部は、尿の白血球濃度の相関関係を記憶しており、
前記第１分析装置によって測定された尿の白血球濃度と前記第２分析装置によって測定された尿の白血球濃度とが、前記記憶部に記憶された尿の白血球濃度の相関関係に適合するか否かを判別する判別手段をさらに備え、
前記出力手段は、当該判別手段の判別結果を出力するように構成されている請求項４乃至９のいずれかに記載の測定結果チェックシステム。
【請求項１１】
前記第１分析装置は、尿の蛋白濃度を測定するように構成されており、
前記第２分析装置は、尿の円柱濃度を測定するように構成されており、
前記記憶部は、尿の蛋白濃度と円柱濃度との相関関係を記憶しており、
前記第１分析装置によって測定された尿の蛋白濃度と前記第２分析装置によって測定された尿の円柱濃度とが、前記記憶部に記憶された尿の蛋白濃度と円柱濃度との相関関係に適合するか否かを判別する判別手段をさらに備え、
前記出力手段は、当該判別手段の判別結果を出力するように構成されている請求項４乃至１０のいずれかに記載の測定結果チェックシステム。
【請求項１２】
前記第１分析装置は、尿の亜硝酸塩濃度を測定するように構成されており、
前記第２分析装置は、尿の細菌濃度を測定するように構成されており、
前記記憶部は、尿の亜硝酸塩濃度と細菌濃度との相関関係を記憶しており、
前記第１分析装置によって測定された尿の蛋白濃度と前記第２分析装置によって測定された尿の細菌濃度とが、前記記憶部に記憶された尿の亜硝酸塩濃度と細菌濃度との相関関係に適合するか否かを判別する判別手段をさらに備え、
前記出力手段は、当該判別手段の判別結果を出力するように構成されている請求項４乃至１１のいずれかに記載の測定結果チェックシステム。
【請求項１３】
分析対象の尿の比重を取得する比重取得手段と、
前記尿の導電率を取得する導電率取得手段と、
尿の比重と導電率との相関関係を記憶する記憶部と、
前記比重取得手段によって取得された尿の比重と前記導電率取得手段によって取得された尿の導電率とが、前記記憶部に記憶された相関関係に適合するか否かを判別する判別手段と、
当該判別手段の判別結果を出力する出力手段と
を備える測定結果チェック装置。
【請求項１４】
分析対象の尿の導電率を取得する導電率取得手段と、
前記尿の糖濃度を取得する糖濃度取得手段と、
当該糖濃度取得手段によって測定された糖濃度と、予め与えられた閾値とを比較する比較手段と、
当該比較手段の比較の結果、前記糖濃度が前記閾値を超える場合に、前記導電率取得手段が取得した導電率は信頼性が低い旨を出力する出力手段と
を備える測定結果チェック装置。
【請求項１５】
外部の装置との間でデータ通信することが可能な通信部と、記憶部と、表示部とを有するコンピュータを、
前記通信部によって分析対象の尿の比重を外部から取得する比重取得手段と、
前記通信部によって前記尿の導電率を外部から取得する導電率取得手段と、
前記比重取得手段によって取得された尿の比重と前記導電率取得手段によって取得された尿の導電率とが、前記記憶部に予め記憶された尿の比重と導電率との相関関係に適合するか否かを判別する判別手段と、
当該判別手段の判別結果を前記表示部に表示する表示手段として機能させるためのコンピュータプログラム。
【発明の詳細な説明】
【技術分野】
【０００１】
本発明は、尿分析における測定結果をチェックする測定結果チェック方法、その実施に使用される測定結果チェックシステム、測定結果チェック装置、及びコンピュータを測定結果チェック装置として機能させるためのコンピュータプログラムに関する。
【背景技術】
【０００２】
尿検査に用いられる尿分析装置として、尿定性分析装置と、尿中有形成分分析装置とが広く知られている。尿定性分析装置は、一般的に、各測定項目別の反応試験片を貼付した試験紙を所定時間、被検尿試料に浸し試験片の色を判定用基準色と比較し、各項目について陰性／陽性の結果（−）（±）（＋）…を自動的に得るように構成されている（例えば、特許文献１参照）。また、尿中有形成分分析装置は、被検尿試料中の有形成分を自動的に分類及び計数するように構成されている（例えば、特許文献２参照）。
【０００３】
これらの尿定性分析装置及び尿中有形成分分析装置は、測定容量、尿中に含まれる夾雑物等の影響により測定精度が低下する場合がある。そこで、尿定性分析装置の測定結果と、尿中有形成分分析装置の測定結果とのうち相関関係の高いもの同士を相互にチェックし、これらの測定結果の信頼性を評価する測定結果チェック装置が提案されている（特許文献３参照）。
【０００４】
一方、尿定性分析装置の測定項目の一つである尿の比重については、尿の導電率と高い相関関係があることが知られている（例えば、特許文献４参照）。
【０００５】
【特許文献１】特開平２−２７２６２号公報
【特許文献２】特開平５−３２２８８５号公報
【特許文献３】特開平９−２１８１９７号公報
【特許文献４】特開平２−１４９２５４号公報
【発明の開示】
【発明が解決しようとする課題】
【０００６】
しかしながら、上述した特許文献３に開示されているクロスチェック装置にあっては、比重についての測定結果をチェックするようには構成されておらず、比重の測定結果の信頼性が低い場合があった。
【０００７】
本発明は、かかる事情に鑑みてなされたものであり、尿の比重の測定結果をチェックして、当該測定結果の信頼性を評価することが可能な測定結果チェック方法、その実施に使用される測定結果チェックシステム、測定結果チェック装置、及びコンピュータを測定結果チェック装置として機能させるためのコンピュータプログラムを提供することを目的とする。
【０００８】
また、本発明の他の目的は、尿の比重と同様の臨床的意義を有する尿の導電率の測定結果をチェックして、当該測定結果の信頼性を評価することが可能な測定結果チェック方法、その実施に使用される測定結果チェックシステム、測定結果チェック装置、及びコンピュータを測定結果チェック装置として機能させるためのコンピュータプログラムを提供することにある。
【課題を解決するための手段】
【０００９】
本発明に係る測定結果チェック方法は、分析対象として与えられた尿の比重を測定するステップと、前記尿の導電率を測定するステップと、測定した尿の比重と導電率とが、予め与えられた尿の比重と導電率との相関関係に適合するか否かを判別するステップと、測定した尿の比重と導電率とが前記相関関係に適合しない場合に、当該尿の比重及び導電率は信頼性が低い旨を表示するステップとを有することを特徴とする。
【００１０】
また、本発明に係る測定結果チェックシステムは、分析対象として与えられた尿の比重を測定する第１分析装置と、前記尿の導電率を測定する第２分析装置と、尿の比重と導電率との相関関係を記憶する記憶部と、前記第１分析装置によって測定された尿の比重と前記第２分析装置によって測定された尿の導電率とが、前記記憶部に記憶された相関関係に適合するか否かを判別する判別手段と、当該判別手段の判別結果を出力する出力手段とを備えることを特徴とする。
【００１１】
また、本発明に係る測定結果チェック装置は、分析対象の尿の比重を取得する比重取得手段と、前記尿の導電率を取得する導電率取得手段と、尿の比重と導電率との相関関係を記憶する記憶部と、前記比重取得手段によって取得された尿の比重と前記導電率取得手段によって取得された尿の導電率とが、前記記憶部に記憶された相関関係に適合するか否かを判別する判別手段と、当該判別手段の判別結果を出力する出力手段とを備えることを特徴とする。なお、ここでいう「取得」とは、外部から比重又は導電率を示す信号を受信する等して取得する場合の他、測定結果チェック装置で比重又は導電率を測定することによって取得する場合をも含むものである。
【００１２】
また、本発明に係るコンピュータプログラムは、外部の装置との間でデータ通信することが可能な通信部と、記憶部と、表示部とを有するコンピュータを、前記通信部によって分析対象の尿の比重を外部から取得する比重取得手段と、前記通信部によって前記尿の導電率を外部から取得する導電率取得手段と、前記比重取得手段によって取得された尿の比重と前記導電率取得手段によって取得された尿の導電率とが、前記記憶部に予め記憶された尿の比重と導電率との相関関係に適合するか否かを判別する判別手段と、当該判別手段の判別結果を前記表示部に表示する表示手段として機能させることを特徴とする。
【００１３】
このようにすることにより、高い相関関係が認められる比重と導電率とを相互にチェックして、比重及び導電率の測定結果の信頼性を評価することができる。
【００１４】
上記発明においては、前記第２分析装置は、前記尿を温度制御する温度制御部を有し、当該温度制御部によって温度制御された前記尿の導電率を測定するように構成されていることが好ましい。
【００１５】
このようにすることにより、温度変化によって導電率が変化することを防止することができ、導電率の測定結果の信頼性を向上させることができる。
【００１６】
上記発明においては、前記尿の糖濃度を測定する糖濃度測定部と、当該糖濃度測定部によって測定された糖濃度と、予め与えられた閾値とを比較する比較手段とをさらに備え、前記出力手段は、当該比較手段の比較の結果、前記糖濃度が前記閾値を超える場合に、測定した尿の導電率は信頼性が低い旨を出力するように構成されていることが好ましい。
【００１７】
本願発明者らは、尿の糖濃度が導電率に強い影響を及ぼすことを知見した。そこで、このようにすることにより、尿の糖濃度に基づいて尿の導電率の測定結果の信頼性を評価することができる。
【００１８】
上記発明においては、尿の比重と導電率との相関関係の入力を受け付ける設定受付手段と、当該設定受付手段によって入力を受け付けた尿の比重と導電率との相関関係を、前記記憶部に書き込む書込手段とをさらに備える構成とすることが好ましい。このようにすることにより、ユーザが尿の比重と導電率との相関関係を調整することができる。
【００１９】
上記発明においては、前記第２分析装置は、オリフィスが設けられており、当該オリフィスに分析対象の尿が含まれた試料を通流させるためのフローセルと、前記オリフィスを挟んで設けられた一対の電極と、当該電極間に電流を供給する電源と、前記試料の導電率を測定する導電率センサと、当該導電率センサの測定値に基づいて、前記電源から前記電極間に供給される電流を制御する電流制御部と、前記電極間のインピーダンス変化を検出するインピーダンス変化検出部とを有し、前記インピーダンス変化検出部によって検出されるインピーダンスの変化に基づいて、前記オリフィスを通過する尿中有形成分の形態を検出するように構成されていることが好ましい。
【００２０】
このようにすることにより、フローサイトメトリー方式による尿中有形成分の形態検出の精度向上が可能であると共に、尿の導電率を求めることが可能となる。また、尿の導電率を測定するための導電率センサを尿中有形成分の形態検出構造と共用することができ、装置構成の簡素化が可能となる。
【００２１】
上記発明においては、前記第１分析装置は、尿の潜血濃度を測定するように構成されており、前記第２分析装置は、尿の赤血球濃度を測定するように構成されており、前記記憶部は、尿の潜血濃度と赤血球濃度との相関関係を記憶しており、前記第１分析装置によって測定された尿の潜血濃度と前記第２分析装置によって測定された尿の赤血球濃度とが、前記記憶部に記憶された尿の潜血濃度と赤血球濃度との相関関係に適合するか否かを判別する判別手段をさらに備え、前記出力手段は、当該判別手段の判別結果を出力するように構成されていることが好ましい。  
【００２２】
これにより、尿の比重と導電率の測定結果のチェックに加えて、高い相関関係を示す尿の潜血濃度と赤血球濃度との測定結果チェックを行うことができ、より一層測定結果の信頼性について多様な評価を行うことができる。
【００２３】
上記発明においては、前記第１分析装置は、尿の白血球濃度を測定するように構成されており、前記第２分析装置は、尿の白血球濃度を測定するように構成されており、前記記憶部は、尿の白血球濃度の相関関係を記憶しており、前記第１分析装置によって測定された尿の白血球濃度と前記第２分析装置によって測定された尿の白血球濃度とが、前記記憶部に記憶された尿の白血球濃度の相関関係に適合するか否かを判別する判別手段をさらに備え、前記出力手段は、当該判別手段の判別結果を出力するように構成されていることが好ましい。
【００２４】
これにより、尿の比重と導電率の測定結果のチェックに加えて、尿の白血球濃度の測定結果チェックを行うことができ、より一層測定結果の信頼性について多様な評価を行うことができる。
【００２５】
上記発明においては、前記第１分析装置は、尿の蛋白濃度を測定するように構成されており、前記第２分析装置は、尿の円柱濃度を測定するように構成されており、前記記憶部は、尿の蛋白濃度と円柱濃度との相関関係を記憶しており、前記第１分析装置によって測定された尿の蛋白濃度と前記第２分析装置によって測定された尿の円柱濃度とが、前記記憶部に記憶された尿の蛋白濃度と円柱濃度との相関関係に適合するか否かを判別する判別手段をさらに備え、前記出力手段は、当該判別手段の判別結果を出力するように構成されていることが好ましい。  
【００２６】
これにより、尿の比重と導電率の測定結果のチェックに加えて、高い相関関係を示す尿の蛋白濃度と円柱濃度との測定結果チェックを行うことができ、より一層測定結果の信頼性について多様な評価を行うことができる。
【００２７】
上記発明においては、前記第１分析装置は、尿の亜硝酸塩濃度を測定するように構成されており、前記第２分析装置は、尿の細菌濃度を測定するように構成されており、前記記憶部は、尿の亜硝酸塩濃度と細菌濃度との相関関係を記憶しており、前記第１分析装置によって測定された尿の蛋白濃度と前記第２分析装置によって測定された尿の細菌濃度とが、前記記憶部に記憶された尿の亜硝酸塩濃度と細菌濃度との相関関係に適合するか否かを判別する判別手段をさらに備え、前記出力手段は、当該判別手段の判別結果を出力するように構成されていることが好ましい。
【００２８】
これにより、尿の比重と導電率の測定結果のチェックに加えて、高い相関関係を示す尿の亜硝酸塩濃度と細菌濃度との測定結果チェックを行うことができ、より一層測定結果の信頼性について多様な評価を行うことができる。
【発明の効果】
【００２９】
本発明に係る測定結果チェック方法、測定結果チェックシステム、測定結果チェック装置、及びコンピュータプログラムによれば、高い相関関係が認められる比重と導電率とを相互にチェックして、比重及び導電率の測定結果の信頼性を評価することができる。また、尿検査精度が向上し、臨床診断に役立つ等、本発明は優れた効果を奏する。
【発明を実施するための最良の形態】
【００３０】
以下、本発明の実施の形態に係る測定結果チェック方法、測定結果チェックシステム、測定結果チェック装置、及びコンピュータプログラムについて、図面を参照しながら具体的に説明する。
【００３１】
図１は、本発明の実施の形態に係る測定結果チェックシステムの構成を示す模式図である。図１に示すように、本実施の形態に係る測定結果チェックシステム１は、尿定性分析装置２と、尿中有形成分分析装置３と、搬送装置４及び５と、コンピュータ６とによって主として構成されている。コンピュータ６は、尿定性分析装置２及び尿中有形成分分析装置３と電気的に接続されており、尿定性分析装置２及び尿中有形成分分析装置３と相互にデータ通信をすることが可能となっている。
【００３２】
図２は、本実施の形態に係る測定結果チェックシステム１の部分構成を示す斜視図である。図２に示すように、尿定性分析装置２と尿中有形成分分析装置３とは、隣り合って配置されており、尿定性分析装置２の前方には搬送装置４が、尿中有形成分分析装置３の前方には搬送装置５が配置されている。搬送装置４と搬送装置５とは、互いにボルト等によって結合されており、後述するように検体を搬送装置４，５間で連続搬送することができるようになっている。搬送装置４は、検体を尿定性分析装置２に自動的に供給することができるように構成されており、搬送装置５は、搬送装置４から受け取った検体を尿中有形成分分析装置３に自動的に供給することができるように構成されている。
【００３３】
図３は、尿定性分析装置２の構成を示すブロック図である。尿定性分析装置２は、図３に示すように、ＣＰＵ，ＲＯＭ，ＲＡＭ等から構成された制御部２１と、コンピュータ６との間でデータの送受信を行う通信部２２と、供給された検体に各測定項目（潜血濃度、蛋白濃度、白血球濃度（白血球エステラーゼ反応）、亜硝酸塩濃度、及びブドウ糖濃度）に対応した試験紙を浸し、夫々の試験紙の変色の度合いから各測定項目について測定する第１測定部２３と、前記検体の屈折率を検出し、当該屈折率から検体の比重を測定する第２測定部２４とから主として構成されている。かかる尿定性分析装置２は、潜血濃度、蛋白濃度、白血球濃度、亜硝酸塩濃度、及びブドウ糖濃度については、試験紙の変色度合いを（−）、（±）、（＋）、（２＋）、（３＋）、…、（７＋）の９段階に自動的に分類し、夫々に対応する測定結果データを通信部２２からコンピュータ６へ送信し、比重については、その測定値を示す測定結果データを通信部２２からコンピュータ６へ送信するように構成されている。
【００３４】
図４は、尿中有形成分分析装置３の構成を示すブロック図である。尿中有形成分分析装置３は、図４に示すように、ＣＰＵ，ＲＯＭ，ＲＡＭ等から構成された制御部３１と、コンピュータ６との間でデータの送受信を行う通信部３２と、供給された検体に対してフローサイトメトリー方式で尿中有形成分（赤血球、白血球、円柱、細菌等）に関する各測定項目の測定値を得るための測定部３３とから主として構成されている。
【００３５】
図５は、尿中有形成分分析装置３の要部の構成を示す模式図である。測定部３３は、反応部３３ａを有しており、搬送装置５によって搬送された尿検体（試料）を試料吸引ピペット（図示せず）によって吸引し、希釈液、染色液とともに前記試料を当該反応部３３ａへ導入するようになっている。反応部３３ａでは、試料を希釈液及び染色液と混合され、これによって尿は４倍に希釈される。反応部３３ａは、撹拌機構と、サーミスタ等のヒータを有する温度制御部とを有しており、導入された試料を撹拌し、それと共に温度制御を行って、３５℃の一定温度下で１０秒間染色するようになっている。
【００３６】
反応部３３ａからは流路３３ｂが延設されており、流路３３ｂの終端にはシースフローセル３３ｃが設けられている。また、この流路３３ｂの途中には、導電率センサ３３ｄが取り付けられている。反応部３３ａにて希釈、染色された試料は、流路３３ｂを通じてシースフローセル３３ｃへと送られる。また、測定部３３には、図示しないシース液チャンバが設けられており、このシース液チャンバに貯められたシース液が、シースフローセル３３ｃへと供給されるように構成されている。シースフローセル３３ｃでは、シース液に取り囲まれるように試料が流れるようになっている。シースフローセル３３ｃにはオリフィス３３ｅが設けられており、このオリフィス３３ｅによって試料の流れが細く絞り込まれ、試料に含まれる粒子（有形成分）が一つずつオリフィス３３ｅを通過することとなる。シースフローセル３３ｃには、オリフィス３３ｅを挟むようにして一対の電極３３ｆが取り付けられている。これらの電極３３ｆには直流電源３３ｇが接続されており、電極３３ｆの間に直流電流が供給されるようになっている。そして、直流電源３３ｇから直流電流が供給されている間に、かかる電極３３ｆの間のインピーダンスが検出されるようになっている。かかるインピーダンスの変化を示す電気抵抗信号は、アンプ３３ｈによって増幅されて制御部３１へ与えられる。この電気抵抗信号は、粒子の体積情報を反映しており、制御部３１がこの電気抵抗信号を信号処理することによって、粒子の体積を得るようになっている。
【００３７】
また、試料は、シースフローセル３３ｃに供給される前に流路３３ｂを通流し、ここで導電率センサ３３ｄによって導電率が検出される。導電率センサ３３ｄによって検出された導電率は電流制御回路３３ｉに与えられ、電流制御回路３３ｉは、この導電率に基づいて直流電源３３ｇの出力電流を制御する。図６は、導電率によるインピーダンス測定の感度調整について説明するためのシースフローセル３３ｃ及びその近傍の構成を示す模式図であり、図７は、導電率センサ３３ｄの構成を示す部分断面側面図である。尿の試料の導電率は試料ごとに様々であり、試料の導電率が変化すると、粒子の通過の有無に関わらず電極３３ｆの間の電流が変化する。このため、インピーダンス検出の感度に影響が及び、粒子の正確な体積情報が得られなくなる。そこで測定部３３では、ユリノパック（希釈液）による希釈で試料の電気伝導度を一定の範囲におさめるとともに、希釈試料がシースフローセル３３ｃへ入る前に導電率を測定し、その値に応じて検出電流の補正を行い感度を一定に調整するようになっている。ここで、導電率センサ３３ｄの構造を図７を参照して説明する。導電率センサ７７ｄは、全体として略円管状をなしており、合成樹脂、セラミックス等の絶縁体で構成された絶縁チューブ３４と、当該絶縁チューブ３４の両端に取り付けられた金属電極３５ａ，３５ｂとによって主として構成されている。金属電極３５ａ，３５ｂは、絶縁チューブ３４と同一の内径を有する円環状をなしており、絶縁チューブ３４に同軸的に取り付けられている。これによって、導電率センサ３３ｄには、その全長に渡って同一の内径の空洞が形成される。金属電極３５ａ，３５ｂには、導電率検出回路３６が接続されており、前記空洞内を試料が通流したときに、金属電極３５ａ，３５ｂ間に約１ｋＨｚの正弦波電流が与えられ、前記空洞内を通流する試料に流れる電流を導電率検出回路３６で整流、積分し、この試料の導電率に比例した電圧を検出するようになっている。そして、このようにして得られた導電率信号は電流制御回路３３ｉへと出力される。
【００３８】
また、電流制御回路３３ｉは、入力された導電率信号を制御部３１へと出力するようになっている。また、試料の温度が変化した場合に、電離する物質が異なるため、導電率は温度変化によって変化するが、上述したように試料を一定温度に温度制御しているので、同一条件で導電率測定を行うことができ、高精度な導電率の測定結果を得ることができる。
【００３９】
測定部３３には、アルゴンレーザ光源が、シースフローセル３３ｃのオリフィス３３ｅへ向けてレーザ光を出射するように配置されている。アルゴンレーザ光源とシースフローセル３３ｃとの間には、複数のレンズからなる照射レンズ系３３ｋが配されている。この照射レンズ系３３ｋによって、アルゴンレーザ光源から出射された平行ビームがビームスポットに集束されるようになっている。このビームスポットは楕円形で、シースフローセル３３ｃの中心に焦点が合わせられている。また、アルゴンレーザ光源からのレーザ光の光軸上には、シースフローセル３３ｃを挟んで照射レンズ系３３ｋに対向するように、ビームストッパ３３ｍが設けられたコレクタレンズ３３ｎが配されており、アルゴンレーザ光源からの直接光はビームストッパ３３ｍによって遮光される。
【００４０】
シースフローセル３３ｃに試料が流れると、レーザ光により散乱光及び蛍光の光信号が発生する。このうち前方の信号光をコレクタレンズ３３ｎで集めて後段の受光系に送るようになっている。受光系には、ピンホール３３ｏが設けられており、さらに光軸下流側にはダイクロイックフィルタ３３ｐが設けられている。コレクタレンズ３３ｎから送られた信号光は、ピンホール３３ｏによって迷光（測定以外の光）が除去された後、ダイクロイックフィルタ３３ｐで散乱光成分と蛍光成分に分けられる。ダイクロイックフィルタ３３ｐの側方（前記光軸方向に交差する方向）には、散乱光集光用のレンズ３３ｑ及びフォトダイオード３３ｒが設けられており、ダイクロイックフィルタ３３ｐの前記光軸下流側には、色ガラスフィルタ３３ｓ及び光電子増倍管３３ｔが設けられている。そして、ダイクロイックフィルタ３３ｐで分けられた散乱光成分は、レンズ３３ｑによって集光された後フォトダイオード３３ｒで光電変換され、これによって生じた電気信号（散乱光信号）がアンプ３３ｕによって増幅され、制御部３１に出力される。この散乱光信号は、粒子の大きさの情報を反映しており、制御部３１がこの散乱光信号を信号処理することによって、粒子の断面積及び長さを得るようになっている。また、ダイクロイックフィルタ３３ｐから発せられた蛍光成分は色ガラスフィルタ３３ｓによって波長選択された後、光電子増倍管３３ｔで光電変換され、これによって生じた電気信号（蛍光信号）がアンプ３３ｖによって増幅され、制御部３１に出力される。ここで用いられる蛍光色素は、粒子の核を特異的に染色するという特性を有しており、制御部３１がこの蛍光信号を信号処理することによって、粒子の染色性及び染色部位の長さを得るようになっている。
【００４１】
このように、測定部３３から制御部３１には、電気抵抗信号、導電率信号、散乱光信号、及び蛍光信号が与えられる。制御部３１は、電気抵抗信号、散乱光信号、及び蛍光信号を信号処理することにより、試料の赤血球濃度、白血球濃度、細菌濃度、円柱濃度、上皮細胞濃度等を取得し、これらの測定結果データを通信部３２からコンピュータ６へ送信するように構成されている。さらに、尿中有形成分分析装置３は、制御部３１が取得した導電率の測定結果データを、通信部３２からコンピュータ６へと送信するように構成されている。
【００４２】
次に、搬送装置４，５の構成について説明する。図２に示すように、搬送装置４は、検体が収容された複数（例えば１０本）の検体容器７が収納された検体ラック７ａを搬送するための搬送部４１と、ユーザが搬送装置４に対して各種設定値等の入力を行うための入力パネル４２と、搬送装置４の設定状態等を表示するためのＬＣＤパネル４３とを備えている。また、搬送部４１は、ユーザが分析対象の検体が収容された検体ラック７ａをセットするための発送部４４と、発送部４４にセットされた検体ラック７ａに収納された検体容器７を尿定性分析装置２の第１測定部２３及び第２測定部２４の測定に供するための測定位置へと移動させる横送り部４５と、尿定性分析装置２による測定が終了した後の検体ラック７ａを搬送装置５へと移動させるための排出部４６とから構成されている。搬送装置５は、検体が収容された複数本の検体容器７が収納された検体ラック７ａを搬送するための搬送部５１と、ユーザが搬送装置５に対して各種設定値等の入力を行うための入力パネル５２と、搬送装置５の設定状態等を表示するためのＬＣＤパネル５３とを備えている。また、搬送部５１は、搬送装置４から検体ラック７ａを受け入れる発送部５４と、受け入れた検体ラック７ａに収納された検体容器７を尿中有形成分分析装置３の測定部３３の測定に供するための測定位置へと移動させる横送り部５５と、尿中有形成分分析装置３による測定が終了した後の検体ラック７ａを回収する回収部５６とから構成されている。
【００４３】
次に、コンピュータ６の構成について説明する。図８は、本発明の実施の形態に係る測定結果チェックシステムが有するコンピュータ６の構成を示すブロック図である。コンピュータ６は、本体６１と、画像表示部６２と、入力部６３とから主として構成されている。本体６１は、ＣＰＵ６１ａと、ＲＯＭ６１ｂと、ＲＡＭ６１ｃと、ハードディスク６１ｄと、読出装置６１ｅと、入出力インタフェース６１ｆと、通信インタフェース６１ｇと、画像出力インタフェース６１ｈとから主として構成されており、ＣＰＵ６１ａ、ＲＯＭ６１ｂ、ＲＡＭ６１ｃ、ハードディスク６１ｄ、読出装置６１ｅ、入出力インタフェース６１ｆ、通信インタフェース６１ｇ、および画像出力インタフェース６１ｈは、バス６１ｉによって接続されている。
【００４４】
ＣＰＵ６１ａは、ＲＯＭ６１ｂに記憶されているコンピュータプログラムおよびＲＡＭ６１ｃにロードされたコンピュータプログラムを実行することが可能である。そして、後述するようなコンピュータプログラムを当該ＣＰＵ６１ａが実行することにより、コンピュータ６が本発明に係る測定結果装置として機能する。
【００４５】
ＲＯＭ６１ｂは、マスクＲＯＭ、ＰＲＯＭ、ＥＰＲＯＭ、ＥＥＰＲＯＭ等によって構成されており、ＣＰＵ６１ａに実行されるコンピュータプログラムおよびこれに用いるデータ等が記録されている。
【００４６】
ＲＡＭ６１ｃは、ＳＲＡＭまたはＤＲＡＭ等によって構成されている。ＲＡＭ６１ｃは、ＲＯＭ６１ｂおよびハードディスク６１ｄに記録されているコンピュータプログラムの読み出しに用いられる。また、これらのコンピュータプログラムを実行するときに、ＣＰＵ６１ａの作業領域として利用される。
【００４７】
ハードディスク６１ｄは、オペレーティングシステムおよびアプリケーションプログラム等、ＣＰＵ６１ａに実行させるための種々のコンピュータプログラムおよび当該コンピュータプログラムの実行に用いるデータがインストールされている。
【００４８】
読出装置６１ｅは、フレキシブルディスクドライブ、ＣＤ−ＲＯＭドライブ、またはＤＶＤ−ＲＯＭドライブ等によって構成されており、可搬型記録媒体６４に記録されたコンピュータプログラムまたはデータを読み出すことができる。また、可搬型記録媒体６４には、本発明に係る測定結果チェック装置として機能するためのコンピュータプログラムが格納されており、コンピュータ６が当該可搬型記録媒体６４から本発明に係るコンピュータプログラムを読み出し、当該コンピュータプログラムをハードディスク６１ｄにインストールすることが可能である。
【００４９】
なお、前記コンピュータプログラムは、可搬型記録媒体６４によって提供されるのみならず、電気通信回線（有線、無線を問わない）によってコンピュータ６と通信可能に接続された外部の機器から前記電気通信回線を通じて提供することも可能である。例えば、前記コンピュータプログラムがインターネット上のサーバコンピュータのハードディスク内に格納されており、このサーバコンピュータにコンピュータ６がアクセスして、当該コンピュータプログラムをダウンロードし、これをハードディスク６１ｄにインストールすることも可能である。
【００５０】
また、ハードディスク６１ｄには、例えば米マイクロソフト社が製造販売するWindows（登録商標）等のグラフィカルユーザインタフェース環境を提供するオペレーティングシステムがインストールされている。以下の説明においては、本実施の形態に係るコンピュータプログラムは当該オペレーティングシステム上で動作するものとしている。
【００５１】
また、ハードディスク６１ｄには、潜血濃度と赤血球濃度との相関関係、白血球濃度の相関関係、蛋白濃度と円柱濃度との相関関係、亜硝酸塩濃度と細菌濃度との相関関係、及び比重と導電率との相関関係を夫々示すクロスチェックテーブルが記憶されている。
【００５２】
例えば、尿定性検査での潜血濃度は、アスコルビン酸等の含有により偽陰性側に反応し、次亜塩素酸等の含有により偽陽性側に反応する。その一方、潜血濃度及び赤血球濃度、白血球濃度及び白血球濃度、蛋白濃度及び円柱濃度、亜硝酸塩濃度及び細菌濃度、比重及び導電率には、高い相関関係が存在することが知られている。したがって、これらの相関関係を利用することにより、尿定性分析装置２及び尿中有形成分分析装置３の測定結果をチェックして、信頼性の低い測定結果を弁別することが可能である。
【００５３】
ここで、比重と導電率との相関関係について説明する。図９は、比重と導電率との相関関係を示すグラフである。図９において、縦軸は導電率（ｍＳ／ｃｍ）を、横軸は比重を夫々示している。また、図９では、試験紙による比重の測定結果についての導電率との関係を示している。試験紙による比重の測定においては、１．０００から１．０３０までの間で０．００５の間隔で７段階に比重の測定結果が比色呈示される。そこで、この図９では、複数検体についての比重と導電率との測定結果をプロットした結果を示している。図９に示すように、比重が１．００５の場合には、導電率は概ね５〜１２ｍＳ／ｃｍの範囲に収まっており、比重が１．０１０の場合には、導電率は概ね５〜１６．５ｍＳ／ｃｍの範囲に収まっている。同様に、比重が１．０１５，１．０２０，１．０２５，１．０３０の場合には、導電率は夫々概ね７．５〜２１ｍＳ／ｃｍ，１２〜２６ｍＳ／ｃｍ，１６．５〜３０ｍＳ／ｃｍ，２１〜３５ｍＳ／ｃｍの範囲に収まっていることがわかる。
【００５４】
そこで、本実施の形態においては、次のような比重と導電率とに関するクロスチェックテーブルをデフォルトとして設定している。図１０は、本実施の形態に係る比重と導電率とに関するクロスチェックテーブルを示すグラフである。図１０において、縦軸は比重を、横軸は導電率（ｍＳ／ｃｍ）を夫々示している。クロスチェックテーブルは、対応する測定項目の測定値を適当な間隔（ランク）で区分し、各升目について適合領域又は不適合領域が割り当てられる。そして、尿定性分析装置２の測定結果と、尿中有形成分分析装置３の測定結果とのうち、対応する測定結果同士が、適合領域に該当すれば両測定項目の相関関係に適合していると判別し、不適合領域に該当すれば相関関係に適合していないと判別するようになっている。図１０では、対応する測定項目が比重及び導電率であり、比重については１．０００から１．０３０までの間が０．００５間隔の各ランクで区分され、導電率については０以上の範囲が、０〜５．０ｍＳ／ｃｍ，５．１〜７．５ｍＳ／ｃｍ，７．６〜１２．０ｍＳ／ｃｍ，１２．１〜１６．５ｍＳ／ｃｍ，１６．６〜２１．０ｍＳ／ｃｍ，２１．１〜２６．０ｍＳ／ｃｍの夫々のランクで区分されている。そして、比重が１．０００〜１．００５のランクの場合には、導電率が０〜５．０ｍＳ／ｃｍのランクが適合領域であり、比重が１．００６〜１．０１０のランクの場合には、導電率が０〜１２．０ｍＳ／ｃｍのランクが適合領域であり、比重が１．０１１〜１．０１５のランクの場合は、導電率が５．１〜１６．５ｍＳ／ｃｍのランクが適合領域であり、比重が１．０１６〜１．０２０のランクの場合は、導電率が７．６〜２１．０ｍＳ／ｃｍのランクが適合領域であり、比重が１．０２１〜１．０２５のランクの場合は、導電率が１２．１〜２６．０ｍＳ／ｃｍのランクが適合領域であり、比重が１．０２６〜１．０３０のランクの場合は、導電率が１６．６以上のランクが適合領域であり、比重が１．０３１以上のランクの場合は、導電率が２１．１以上のランクが適合領域であるとされている。その他の測定項目についてのクロスチェックテーブルでは、尿定性分析装置２の測定項目は、測定結果の（−）、（±）、（＋）、（２＋）、（３＋）、…、（７＋）が夫々対応するランクで予め区分されており、尿中有形成分分析装置３の測定項目は、適当なランクによって予め区分されている。
【００５５】
また、ハードディスク６１ｄには、尿中有形成分分析装置３の測定した導電率について信頼性が低いか否かを判別するために用いられる、ブドウ糖濃度の測定結果に関する閾値が記憶されている。本願発明者らは、尿中の糖濃度、蛋白濃度が導電率に与える影響について調査する実験を行った。図１１は、蛋白濃度についての実験結果を示すグラフであり、図１２は、ブドウ糖濃度についての実験結果を示すグラフである。図１１及び図１２において、縦軸は浸透圧（ｍＯｓｍ／Ｈ２Ｏ）を示しており、横軸は導電率（ｍＳ／ｃｍ）を示している。比重と浸透圧とは高い相関を示すことが知られており、略同等の臨床的意義を有するものとされている。したがって、ここでは、導電率と比重との関係について実験する代わりに、導電率と浸透圧との関係について実験した。図１１においては、検体に蛋白質が検出されなかった場合についての導電率及び浸透圧の測定結果を点印で示し、検体に１５ｍｇ／ｄｌ程度の蛋白質が検出された場合についての測定結果を菱形印で示し、検体に３０ｍｇ／ｄｌ程度の蛋白質が検出された場合についての測定結果を丸印で示し、検体に１００ｍｇ／ｄｌ程度の蛋白質が検出された場合についての測定結果を三角印で示し、検体に３００ｍｇ／ｄｌ以上の蛋白質が検出された場合についての測定結果を四角印で示している。図１１に示すように、３００ｍｇ／ｄｌ以上の蛋白質が検出された検体は、その測定結果が浸透圧と導電率との相関関係を示す線から大きく外れており、この測定結果が信頼性が低いものであることがわかる。また、この実験結果では、１５ｍｇ／ｄｌ程度の蛋白質が検出された検体、３０ｍｇ／ｄｌ程度の蛋白質が検出された検体、１００ｍｇ／ｄｌ程度の蛋白質が検出された検体についても、測定結果が前記相関関係を示す線から大きく外れたものがあることがわかる。
【００５６】
図１２においては、検体にブドウ糖が検出されなかった場合についての導電率及び浸透圧の測定結果を点印で示し、検体に０．１ｇ／ｄｌ程度のブドウ糖が検出された場合についての測定結果を菱形印で示し、検体に０．２５ｇ／ｄｌ程度のブドウ糖が検出された場合についての測定結果を丸印で示し、検体に０．５ｇ／ｄｌ程度のブドウ糖が検出された場合についての測定結果を三角印で示し、検体に１．０ｇ／ｄｌ以上のブドウ糖が検出された場合についての測定結果を四角印で示している。図１２に示すように、１．０ｇ／ｄｌ以上の蛋白質が検出された検体は、その測定結果が浸透圧と導電率との相関関係を示す線から大きく外れており、この測定結果が信頼性が低いものであることがわかる。また、この実験結果では、蛋白質についての実験結果に比べて、ブドウ糖濃度が高い検体の測定結果がより一層顕著に相関関係を示す線から大きく外れていることがわかる。 さらに、１．０ｇ／ｄｌ以上のブドウ糖が検出された検体以外の検体については、測定結果が前記相関関係を示す線から大きく外れていないことがわかる。
【００５７】
図１３は、図１２に示した導電率と浸透圧との相関グラフから、ブドウ糖濃度が高い検体の測定結果を除いたグラフを示している。図１３に示すように、図１１及び１２に示した相関関係に比べて明らかに相関が高くなっていることがわかる。図１１の実験結果における相関係数は０．９１であり、図１１及び図１２の実験結果における相関係数が０．８６９であったのに比べて、改善されていることがわかる。このような結果は、蛋白及び糖は電解質ではないため、これらの濃度が高まると不導体として導電率を低下させることに起因していると考えられる。
【００５８】
このように、本願発明者らは、蛋白濃度及び糖（ブドウ糖を含む）濃度が高い検体についての導電率の測定結果は、腎臓の機能障害についての重要な指標となる尿の浸透圧（比重）との相関関係から乖離し、臨床データとして信頼性が低いものであることを知見した。そこで、本実施の形態においては、尿中有形成分分析装置３の測定した導電率について信頼性が低いか否かを判別するために用いられる、ブドウ糖濃度の測定結果に関する閾値を、１．０ｇ／ｄｌとして設定している。
【００５９】
入出力インタフェース６１ｆは、例えばUSB，IEEE1394，RS-232C等のシリアルインタフェース、SCSI，IDE，IEEE1284等のパラレルインタフェース、およびＤ／Ａ変換器、Ａ／Ｄ変換器等からなるアナログインタフェース等から構成されている。入出力インタフェース６１ｆには、キーボードおよびマウスからなる入力部６３が接続されており、ユーザが当該入力部６３を使用することにより、コンピュータ６にデータを入力することが可能である。
【００６０】
通信インタフェース６１ｇは、例えばEthernet（登録商標）インタフェースであり、コンピュータ６は、当該通信インタフェース６１ｇにより、所定の通信プロトコルを使用して尿定性分析装置２、尿中有形成分分析装置３、及び搬送装置４，５との間でデータの送受信が可能である。
【００６１】
画像出力インタフェース６１ｈは、ＬＣＤまたはＣＲＴ等で構成された画像表示部６２に接続されており、ＣＰＵ６１ａから与えられた画像データに応じた映像信号を画像表示部６２に出力するようになっている。画像表示部６２は、入力された映像信号にしたがって、画像（画面）を表示する。
【００６２】
次に、本実施の形態に係る測定結果チェックシステム１の動作について説明する。まず、検体（尿）が収容された複数の検体容器７が収納された検体ラック７ａが尿定性分析装置２の正面の測定位置まで自動的に搬送される。具体的には、まず、検体が収容された複数の検体容器７が収納された検体ラック７ａを搬送装置４の発送部４４にセットする。そして、入力パネル４２に設けられたスタートキーを押下する。これにより、搬送装置４が動作を開始し、搬送装置４の発送部４４にセットされた検体ラック７ａが横送り部４５に搬送される。そして、横送り部４５で検体ラック７ａが１つの検体容器７に対応するピッチで順次横送りされることにより、検体ラック７ａに収納された検体容器７が尿定性分析装置２の測定位置に搬送される。そして、尿定性分析装置２の第１測定部２３及び第２測定部２４において、検体ラック７ａに収納された検体容器７内に収容された検体が順次測定される。その後、検体ラック７ａは、横送り部４５から排出部４６に搬送され、搬送装置５の発送部５４に搬送される。そして、搬送装置５は、発送部５４に設けられたセンサにより、発送部５４に検体ラック７ａが搬送されたことを検知して動作を開始する。
【００６３】
搬送装置５の発送部５４に搬送された検体ラック７ａは、搬送装置５の横送り部５５に搬送される。そして、横送り部５５で検体ラック７ａが一つの検体容器７に対応するピッチで順次横送りされることにより、検体ラック７ａに収納された検体容器７が尿中有形成分分析装置３の測定位置に搬送される。そして、尿中有形成分分析装置３の測定部３３において、検体ラック７ａに収納された検体容器７内に収容された検体が順次測定される。この後、検体ラック７ａは、横送り部５５から回収部５６に搬送される。上記のような動作が各検体ラック７ａについて順次行われる。
【００６４】
このようにして、尿定性分析装置２及び尿中有形成分分析装置３が、同一の検体に対して測定して得た測定結果データは、コンピュータ６へと送信される。そして、コンピュータ６によってクロスチェック処理が実行される。以下、コンピュータ６のクロスチェック処理について説明する。図１４及び図１５は、コンピュータ６が実行する本発明の実施の形態に係るコンピュータプログラムによるクロスチェック処理の手順を示すフローチャートである。なお、以下に説明する各測定項目に対するクロスチェックエラーフラグ、及び低信頼性フラグは、全てクリアされた状態がデフォルト値とされる。まず、コンピュータ６のＣＰＵ６１ａは、尿定性分析装置２からの測定結果データの受信を待機する（ステップＳ１）。測定結果データを受信した場合には（ステップＳ１においてＹｅｓ）、ＣＰＵ６１ａは、尿中有形成分分析装置３からの測定結果データの受信を待機する（ステップＳ２）。そして、ＣＰＵ６１ａは、ステップＳ２において測定結果データを受信した場合には（ステップＳ２においてＹｅｓ）、潜血濃度の測定結果（ＯＢ）と、赤血球濃度の測定結果（ＲＢＣ）とが、これらの測定項目の相関関係を示すクロスチェックテーブルにおいて適合領域に該当するか否かを判別する（ステップＳ３）。ここで潜血濃度の測定結果と、赤血球濃度の測定結果とが、前記クロスチェックテーブルの不適合領域に該当している場合には（ステップＳ３においてＮｏ）、ＣＰＵ６１ａは、潜血濃度の測定結果に対するクロスチェックエラーフラグをセットする（ステップＳ４）。
【００６５】
次に、ＣＰＵ６１ａは、尿定性分析装置２の白血球濃度の測定結果（ＷＢＣ）と、尿中有形成分分析装置３の白血球濃度の測定結果（ＷＢＣ）とが、これらの測定項目の相関関係を示すクロスチェックテーブルにおいて適合領域に該当するか否かを判別する（ステップＳ５）。ここで両測定結果が、前記クロスチェックテーブルの不適合領域に該当している場合には（ステップＳ５においてＮｏ）、ＣＰＵ６１ａは、尿定性分析装置２の白血球濃度の測定結果に対するクロスチェックエラーフラグをセットする（ステップＳ６）。
【００６６】
次に、ＣＰＵ６１ａは、蛋白濃度の測定結果（ＰＲＯ）と、円柱濃度の測定結果（ＣＡＳＴ）とが、これらの測定項目の相関関係を示すクロスチェックテーブルにおいて適合領域に該当するか否かを判別する（ステップＳ７）。ここで両測定結果が、前記クロスチェックテーブルの不適合領域に該当している場合には（ステップＳ７においてＮｏ）、ＣＰＵ６１ａは、蛋白濃度の測定結果に対するクロスチェックエラーフラグをセットする（ステップＳ８）。
【００６７】
次に、ＣＰＵ６１ａは、亜硝酸塩濃度の測定結果（ＮＩＴ）と、細菌濃度の測定結果（ＢＡＣＴ）とが、これらの測定項目の相関関係を示すクロスチェックテーブルにおいて適合領域に該当するか否かを判別する（ステップＳ９）。ここで両測定結果が、前記クロスチェックテーブルの不適合領域に該当している場合には（ステップＳ９においてＮｏ）、ＣＰＵ６１ａは、亜硝酸塩濃度の測定結果に対するクロスチェックエラーフラグをセットする（ステップＳ１０）。
【００６８】
次に、ＣＰＵ６１ａは、比重の測定結果（ＳＧ）と、導電率の測定結果（Ｃｏｎｄ．）とが、これらの測定項目の相関関係を示すクロスチェックテーブルにおいて適合領域に該当するか否かを判別する（ステップＳ１１）。ここで両測定結果が、前記クロスチェックテーブルの不適合領域に該当している場合には（ステップＳ１１においてＮｏ）、ＣＰＵ６１ａは、比重の測定結果に対するクロスチェックラグをセットする（ステップＳ１２）。
【００６９】
次に、ＣＰＵ６１ａは、ブドウ糖濃度の測定結果と、尿中有形成分分析装置３の測定した導電率について信頼性が低いか否かを判別するために用いられる閾値とを比較する（ステップＳ１３）。ステップＳ１３において、ブドウ糖濃度の測定結果が、閾値を超える場合には（ステップＳ１３においてＮｏ）、ＣＰＵ６１ａは、導電率の測定結果に対する低信頼性フラグをセットする（ステップＳ１４）。
【００７０】
そして、ＣＰＵ６１ａは、尿中有形成分分析装置３の測定結果を用いてスキャッタグラムを作成し（ステップＳ１５）、測定結果表示画面を画像表示部６２に表示して（ステップＳ１６）、処理を終了する。
【００７１】
図１６は、本実施の形態に係るコンピュータ６が画像表示部６２に表示する測定結果表示画面の一例を示す模式図である。図１６に示すように、測定結果表示画面には、スキャッタグラムと、各測定項目の測定値とが表示される。さらに詳しく説明すると、測定結果表示画面の中央から左側には、散乱光情報及び蛍光情報に基づいて作成された２つのスキャッタグラム７１，７２が縦に並べて表示され、測定結果表示画面の中央から右側には、測定値表示エリア７３，７４が縦に並べて表示される。上側の測定値表示エリア７３には、尿中有形成分分析装置３の測定結果のうち、赤血球濃度（ＲＢＣ）、白血球濃度（ＷＢＣ）、上皮細胞濃度（ＥＣ）、円柱濃度（ＣＡＳＴ）、細菌濃度（ＢＡＣＴ）、及び導電率（Ｃｏｎｄ．）の測定値が表示されるようになっている。また、下側の測定値表示エリア７４には、尿定性分析装置２の測定結果のうち、潜血濃度（ＯＢ）、蛋白濃度（ＰＲＯ）、亜硝酸塩濃度（ＮＩＴ）、及び比重（ＳＧ）の測定値が表示されるようになっている。また、クロスチェックエラーフラグがセットされた測定項目については、測定結果の横に信頼性が低いデータである旨を示す記号「？」が表示されるようになっている。また、導電率の測定結果に低信頼性フラグがセットされている場合には、測定値の横に信頼性が低いデータである旨を示す記号「＊」が表示されるようになっている。図１６は、導電率の測定値の横に「＊」が表示されている画面を示している。このようにすることによって、ユーザに対して、導電率の測定値は信頼性が低いものであることを通知することができる。
【００７２】
次に、本発明の実施の形態に係る測定結果チェックシステムにおける相関関係の設定動作について説明する。かかる相関関係の設定動作は、ランク設定動作及びクロスチェックテーブル設定動作の２つの動作に大別される。まず、ランク設定動作について説明する。
【００７３】
図１７及び図１８は、コンピュータ６が実行する本発明の実施の形態に係るコンピュータプログラムによる相関関係の設定処理の手順を示すフローチャートである。本実施の形態に係るコンピュータプログラムをＣＰＵ６１ａが実行することにより、画像表示部６２には、このコンピュータプログラムの起動後にメイン画面（図示せず）が表示されるようになっている（ステップＳ２１）。このメイン画面には、コンピュータ６に各種設定を行うための設定画面を呼び出すためのソフトウェアキーである「設定キー」が表示される。このメイン画面では、ユーザが画像表示部６２に表示されたマウスポインタを「設定キー」上に移動させるように入力部６３のマウスを操作し、当該マウスの左ボタンを押下（クリック）することにより、コンピュータ６に設定画面への切り替えの指示を与えることができるようになっている。ＣＰＵ６１ａは、このような設定画面への切替指示を受け付けた場合には（ステップＳ２２においてＹｅｓ）、画像表示部６２に設定画面を表示する（ステップＳ２３）。この設定画面では、「ランクキー」、「クロスチェックキー」の少なくとも２つのソフトウェアキーが表示される（図示せず）。ここでユーザがランクキー又はクロスチェックキーをクリックすると、コンピュータ６に対してランク設定画面又はクロスチェック設定画面への画面切り替えの指示を与えることができる。ユーザがランクキーをクリックし、ランク設定画面への切替指示を受け付けた場合には（ステップＳ２４において「ランク設定画面」）、ＣＰＵ６１ａは、パスワードの入力を求めるパスワード入力画面を画像表示部６２に表示し（ステップＳ２５）、ユーザにパスワードの入力を促す。これは、ランクの設定のような重要な項目についての設定、変更は、セキュリティ上の観点から特定のユーザ（例えばシステム管理者）又はサポート業者等に対してのみ許可することが好ましいためである。そして、ユーザからパスワードの入力を受け付けた場合には（ステップＳ２６においてＹｅｓ）、入力されたパスワードを予め登録されたパスワードと照合し（ステップＳ２７）、パスワードの照合に失敗した場合には（ステップＳ２７においてＮｏ）、処理を終了する。ステップＳ２７において、パスワードの照合に成功した場合には（ステップＳ２７においてＹｅｓ）、ＣＰＵ６１ａは、ランクの設定が可能なランク設定画面を表示する（ステップＳ２８）。
【００７４】
図１９は、ランク設定画面の一例を示す模式図である。図１９に示すように、ランク設定画面には、ランクの設定値表示エリア８１と、ランク設定値の入力箇所を示すカーソル８１ａと、カーソル８１ａを上下方向へ移動させるためのカーソル移動キー８２ａ，８２ｂと、数値入力用のテンキー８３と、テンキー８３で入力した数値をランクの設定値として決定するための入力キー８４と、ランクの設定対象として赤血球濃度（ＲＢＣ）、白血球濃度（ＷＢＣ）、上皮細胞濃度（ＥＣ）、円柱濃度（ＣＡＳＴ）、細菌濃度（ＢＡＣＴ）、導電率（Ｃｏｎｄ．）を夫々選択するためのＲＢＣキー８５ａ、ＷＢＣキー８５ｂ、ＥＣキー８５ｃ、ＣＡＳＴキー８５ｄ、ＢＡＣＴキー８５ｅ、Ｃｏｎｄキー８５ｆと、設定対象の測定項目についてのランクの設定を終了するための終了キー８６と、ランク設定処理を終了するための終了キー８７とが表示されている。
【００７５】
ＣＰＵ６１ａは、ランクの設定対象項目のユーザによる選択を待機する（ステップＳ２９）。ここで、一つの設定対象項目の選択を受け付けた場合には（ステップＳ２９においてＹｅｓ）、ＣＰＵ６１ａは、この設定対象項目のランクの設定画面を表示する（ステップＳ３０）。例えば、ユーザによってＲＢＣキー８５ａがクリックされた場合には、赤血球濃度のランク設定画面が表示される。次に、ＣＰＵ６１ａは、設定するランクのユーザによる選択を待機する（ステップＳ３１）。ここで、ユーザはカーソル移動キー８２ａ，８２ｂを適宜クリックすることによって、カーソルを移動させ、設定対象のランクを選択することが可能である。そして、設定対象のランクの選択を受け付けた場合には（ステップＳ３１においてＹｅｓ）、ＣＰＵ６１ａは、設定値の入力を待機する（ステップＳ３２）。ここで、ユーザは、テンキー８３を適宜クリックすることによって数値を入力し、入力キー８４をクリックすることによって入力した数値を設定対象のランクの設定値として決定することができる。設定値の入力を受け付けた場合には（ステップＳ３２でＹｅｓ）、ＣＰＵ６１ａは、入力された設定値を設定対象ランクの上限値にセットする（ステップＳ３３）。また、ＣＰＵ６１ａは、設定対象ランクより一つ上位のランクの下限値を、入力を受け付けた設定値よりも単位数値だけ大きい数値にセットする（ステップＳ３４）。例えば、ランク１の上限値が５にセットされた場合には、５より単位数値（例えば０．０１）だけ大きい５．０１が、ランク２の下限値としてセットされることとなる。
【００７６】
そして、ＣＰＵ６１ａは、その時点での設定対象の測定項目についてのランク設定の終了指示を待機する（ステップＳ３５）。ステップＳ３５において、まだランク設定作業を続行する場合には（ステップＳ３５においてＮｏ）、ＣＰＵ６１ａは、ステップＳ３１へと処理を戻す。ここでユーザは、さらに別のランクを設定対象として選択し、このランクの設定値を入力することができる。また、ステップＳ３５において、ユーザによって終了キー８６がクリックされた場合には（ステップＳ３５においてＹｅｓ）、ＣＰＵ６１ａは、ランク設定処理の終了指示を待機する（ステップＳ３６）。ステップＳ３６において、まだランク設定作業を続行する場合には（ステップＳ３６においてＮｏ）、ＣＰＵ６１ａは、ステップＳ２９へと処理を戻す。ここでユーザは、赤血球濃度のランク設定を完了した場合には、白血球濃度、上皮細胞濃度、円柱濃度、細菌濃度、導電率についてのランク設定を続けて行うことができる。また、ステップＳ３６において、ユーザによって終了キー８７がクリックされた場合には（ステップＳ３６においてＹｅｓ）、ＣＰＵ６１ａは、処理を終了する。
【００７７】
次に、クロスチェックテーブル設定動作について説明する。ステップＳ２４において、ユーザがクロスチェックキーをクリックし、ＣＰＵ６１ａがクロスチェック設定画面への切替指示を受け付けた場合には（ステップＳ２４において「クロスチェック設定画面」）、ＣＰＵ６１ａは、パスワードの入力を求めるパスワード入力画面を画像表示部６２に表示し（ステップＳ３７）、ユーザにパスワードの入力を促す。そして、ユーザからパスワードの入力を受け付けた場合には（ステップＳ３８においてＹｅｓ）、入力されたパスワードを予め登録されたパスワードと照合し（ステップＳ３９）、パスワードの照合に失敗した場合には（ステップＳ３９においてＮｏ）、処理を終了する。ステップＳ３９において、パスワードの照合に成功した場合には（ステップＳ３９においてＹｅｓ）、ＣＰＵ６１ａは、クロスチェックテーブルの設定が可能なクロスチェックテーブル設定画面を表示する（ステップＳ４０）。
【００７８】
図２０は、クロスチェックテーブル設定画面の一例を示す模式図である。図２０に示すように、クロスチェックテーブル設定画面には、クロスチェックテーブルの表示エリア９１と、上下左右方向へのカーソル移動キー９２ａ，９２ｂ，９２ｃ，９２ｄと、クロスチェックテーブル内の設定対象として選択された升目を適合領域及び不適合領域に設定することが可能な適合キー９４ａ及び不適合キー９４ｂと、クロスチェックテーブルの設定対象として潜血濃度（ＯＢ）×赤血球濃度（ＲＢＣ）、白血球濃度（ＷＢＣ）×白血球濃度（ＷＢＣ）、蛋白濃度（ＰＲＯ）×円柱濃度（ＣＡＳＴ）、亜硝酸塩濃度（ＮＩＴ）×細菌濃度（ＢＡＣＴ）、比重（ＳＧ）×導電率（Ｃｏｎｄ．）を夫々選択するためのＯＢ×ＲＢＣキー９５ａ、ＷＢＣ×ＷＢＣキー９５ｂ、ＰＲＯ×ＣＡＳＴキー９５ｃ、ＮＩＴ×ＢＡＣＴキー９５ｄ、ＳＧ×Ｃｏｎｄキー９５ｅと、設定対象の測定項目についてのクロスチェックテーブルの設定を終了するための終了キー９６と、クロスチェック設定処理を終了するための終了キー９７とが表示されている。また、クロスチェックテーブルの表示エリア９１には、クロスチェックテーブル内の升目を移動させることが可能なカーソル９３が表示されている。
【００７９】
ＣＰＵ６１ａは、クロスチェックテーブルの設定対象項目のユーザによる選択を待機する（ステップＳ４１）。ここで、一組の設定対象項目の選択を受け付けた場合には（ステップＳ４１においてＹｅｓ）、ＣＰＵ６１ａは、この設定対象項目のクロスチェックテーブルの設定画面を表示する（ステップＳ４２）。例えば、ユーザによってＯＢ×ＲＢＣキー９５ａがクリックされた場合には、潜血濃度×赤血球濃度のクロスチェックテーブル設定画面が表示される。次に、ＣＰＵ６１ａは、設定する升目のユーザによる選択を待機する（ステップＳ４３）。ここで、ユーザはカーソル移動キー９２ａ，９２ｂ，９２ｃ，９２ｄを適宜クリックすることによって、カーソル９３を移動させ、設定対象の升目を選択することが可能である。そして、設定対象の升目の選択を受け付けた場合には（ステップＳ４３においてＹｅｓ）、ＣＰＵ６１ａは、設定値の入力を待機する（ステップＳ４４）。ここで、ユーザは、適合キー９４ａ及び不適合キー９４ｂのいずれかをクリックすることによって、設定値（適合又は不適合）を入力することが可能である。設定値の入力を受け付けた場合には（ステップＳ４４でＹｅｓ）、ＣＰＵ６１ａは、入力された設定値を設定対象升目にセットする（ステップＳ４５）。例えば、ユーザによって適合キー９４ａがクリックされた場合には、設定対象の升目が適合にセットされ、適合領域を示す表示（図ではハッチング表示）に切り替わる。
【００８０】
そして、ＣＰＵ６１ａは、その時点での設定対象の測定項目についてのクロスチェックテーブル設定の終了指示を待機する（ステップＳ４６）。ステップＳ４６において、まだクロスチェックテーブル設定作業を続行する場合には（ステップＳ４６においてＮｏ）、ＣＰＵ６１ａは、ステップＳ４３へと処理を戻す。ここでユーザは、さらに別の升目を設定対象として選択し、この升目の設定値を入力することができる。また、ステップＳ４６において、ユーザによって終了キー９６がクリックされた場合には（ステップＳ４６においてＹｅｓ）、ＣＰＵ６１ａは、クロスチェックテーブル設定処理の終了指示を待機する（ステップＳ４７）。ステップＳ４７において、まだクロスチェックテーブル設定作業を続行する場合には（ステップＳ４７においてＮｏ）、ＣＰＵ６１ａは、ステップＳ４１へと処理を戻す。ここでユーザは、潜血濃度×赤血球濃度のクロスチェックテーブル設定を完了した場合には、白血球濃度×白血球濃度、蛋白濃度×円柱濃度、亜硝酸塩濃度×細菌濃度、比重×導電率についてのクロスチェックテーブル設定を続けて行うことができる。また、ステップＳ４７において、ユーザによって終了キー９７がクリックされた場合には（ステップＳ４７においてＹｅｓ）、ＣＰＵ６１ａは、処理を終了する。
【００８１】
以上の如き構成により、本発明の実施の形態に係る測定結果チェックシステム１においては、腎臓の機能障害を示す指標として重要な臨床的意義を有する尿の比重と導電率との測定結果についてクロスチェックを行うことができ、これにより、尿定性分析装置２による比重の測定結果及び尿中有形成分分析装置３による導電率の測定結果の信頼性の評価を行うことができる。また、潜血濃度及び赤血球濃度、白血球濃度及び白血球濃度、蛋白濃度及び円柱濃度、ならびに亜硝酸塩濃度及び細菌濃度の各測定結果のクロスチェックも合わせて行うことにより、より一層詳細な信頼性評価を行うことができる。このことは、血液等のように検体毎に各成分の濃度のばらつきが小さいものよりも、尿のように検体毎に各成分の濃度のばらつきが大きいものを分析対象とする分析装置においては、基準値から大きく外れる測定結果が得られた場合に、それが装置の誤動作によるものであるのか、それともその検体が異常であるのかの判断が難しいため、特に有効である。
【００８２】
なお、以上説明した実施の形態に係る測定結果チェックシステム１においては、尿定性分析装置２が検体の屈折率によって比重を測定する構成について述べたが、これに限定されるものではなく、例えば、試験紙によって比重を測定する構成としてもよい。しかし、試験紙を用いて比重を測定するよりも、屈折率によって比重を測定する方が分解能が高く、高い測定精度を期待できる点で、屈折率によって比重を測定する構成の方が好ましい。
【００８３】
また、本実施の形態に係る測定結果チェックシステム１においては、ブドウ糖の濃度を用いて導電率の測定結果の信頼性を評価する構成について述べたが、これに限定されるものではなく、ブドウ糖以外の糖の濃度を用いて導電率の測定結果を評価する構成としてもよく、また蛋白濃度を用いて導電率の測定結果を評価する構成としてもよい。
【００８４】
また、本実施の形態に係る測定結果チェックシステム１においては、尿定性分析装置２及び尿中有形成分分析装置３をコンピュータ６に接続し、尿定性分析装置２及び尿中有形成分分析装置３の測定結果をコンピュータ６へと送信して、コンピュータ６によって各測定項目についての測定結果のクロスチェック、及び導電率の測定結果についての信頼性評価を行う構成について述べたが、これに限定されるものではなく、例えば、尿中有形成分分析装置３に測定結果チェック装置としての機能を搭載してもよい。この場合は、尿定性分析装置２と尿中有形成分分析装置３とを接続し、尿定性分析装置２の測定結果を尿中有形成分分析装置３へと送信し、尿中有形成分分析装置３により、当該尿中有形成分分析装置３の測定結果と、受信した尿定性分析装置２の測定結果とのクロスチェックを行うこととなる。また、上述したようなコンピュータ６の画像表示部６２に表示される表示画面は、尿中有形成分分析装置３に設けられたＬＣＤ等の表示部に表示すればよい。また、この表示部にタッチパネル式の入力装置を付設することにより、マウスによる入力に代えて、ユーザの指又はスタイラスにより入力する構成とすれば、さらに好ましい。さらには、尿定性分析装置２、尿中有形成分分析装置３を一体化し、この分析装置に測定結果チェック装置としての機能を搭載してもよい。この場合は、一つの装置内で尿定性分析装置２の測定項目及び尿中有形成分分析装置３の測定項目について測定し、これらの測定結果のクロスチェック、及び導電率の測定結果についての信頼性評価を実行する構成となる。この場合にも、当該装置に設けられたＬＣＤ等の表示部に、前述したような表示画面を表示すればよく、表示部にタッチパネル式の入力装置を付設し、ユーザの指又はスタイラスにより入力する構成とすればより好ましい。
【００８５】
また、本実施の形態に係る測定結果チェックシステム１においては、尿定性分析装置２及び尿中有形成分分析装置３をコンピュータ６に接続し、尿定性分析装置２及び尿中有形成分分析装置３の測定結果をコンピュータ６へと送信して、コンピュータ６によって各測定項目についての測定結果のクロスチェック、及び導電率の測定結果についての信頼性評価を行う構成について述べたが、これに限定されるものではなく、例えば、尿中有形成分分析装置３に測定結果装置としての機能を搭載してもよい。この場合は、尿定性分析装置２と尿中有形成分分析装置３とを接続し、尿定性分析装置２の測定結果を尿中有形成分分析装置３へと送信し、尿中有形成分分析装置３により、当該尿中有形成分分析装置３の測定結果と、受信した尿定性分析装置２の測定結果とのクロスチェックを行うこととなる。また、上述したようなコンピュータ６の画像表示部６２に表示される表示画面は、尿中有形成分分析装置３に設けられたＬＣＤ等の表示部に表示すればよい。また、この表示部にタッチパネル式の入力装置を付設することにより、マウスによる入力に代えて、ユーザの指又はスタイラスにより入力する構成とすれば、さらに好ましい。さらには、尿定性分析装置２、尿中有形成分分析装置３を一体化し、この分析装置に測定結果チェック装置としての機能を搭載してもよい。この場合は、一つの装置内で尿定性分析装置２の測定項目及び尿中有形成分分析装置３の測定項目について測定し、これらの測定結果のクロスチェック、及び導電率の測定結果についての信頼性評価を実行する構成となる。この場合にも、当該装置に設けられたＬＣＤ等の表示部に、前述したような表示画面を表示すればよく、表示部にタッチパネル式の入力装置を付設し、ユーザの指又はスタイラスにより入力する構成とすればより好ましい。
【００８６】
また、本実施の形態に係る測定結果チェックシステム１においては、クロスチェックエラーフラグを「？」で表示し、低信頼性フラグを「＊」で表示する構成について述べたが、これに限定されるものではなく、例えば、「クロスチェックエラー」、「低信頼」といった文字で表示してもよいし、またクロスチェクエラーフラグがセットされた測定値を赤で表示し、低信頼性フラグがセットされた測定値を青で表示する等、他の表示方法でクロスチェックエラーフラグ及び低信頼性フラグを表示する構成としてもよい。
【００８７】
また、本実施の形態に係る測定結果チェックシステム１においては、一定温度に温度制御した試料に対して導電率の測定を行う構成について述べたが、これに限定されるものではなく、例えば、導電率の測定結果を温度補正する構成としてもよい。しかしながら、温度補正では正確な導電率を求めることが難いため、高精度な導電率の測定結果を得ることができるという点で、試料を一定温度に温度制御する構成の方が好ましい。
【産業上の利用可能性】
【００８８】
本発明に係る測定結果チェック方法、測定結果チェックシステム、測定結果チェック装置、及びコンピュータプログラムは、高い相関関係が認められる比重と導電率とを相互にチェックして、比重及び導電率の測定結果の信頼性を評価することができるという効果を奏し、尿分析における測定結果をチェックする測定結果チェック方法、その実施に使用される測定結果チェックシステム、測定結果チェック装置、及びコンピュータを測定結果チェック装置として機能させるためのコンピュータプログラムとして有用である。
【図面の簡単な説明】
【００８９】
【図１】本発明の実施の形態に係る測定結果チェックシステムの構成を示す模式図である。
【図２】本発明の実施の形態に係る測定結果チェックシステムの部分構成を示す斜視図である。
【図３】尿定性分析装置の構成を示すブロック図である。
【図４】尿中有形成分分析装置の構成を示すブロック図である。
【図５】尿中有形成分分析装置の要部の構成を示す模式図である。
【図６】導電率によるインピーダンス測定の感度調整について説明するためのシースフローセル及びその近傍の構成を示す模式図である。
【図７】本発明の実施の形態に係る導電率センサの構成を示す部分断面側面図である。
【図８】本発明の実施の形態に係る測定結果チェックシステムが有するコンピュータの構成を示すブロック図である。
【図９】比重と導電率との相関関係を示すグラフである。
【図１０】本実施の形態に係る比重と導電率とに関するクロスチェックテーブルを示すグラフである。
【図１１】尿中の蛋白濃度が導電率に与える影響について調査した実験結果を示すグラフである。
【図１２】尿中のブドウ糖濃度が導電率に与える影響について調査した実験結果を示すグラフである。
【図１３】図１２に示した導電率と浸透圧との相関グラフから、ブドウ糖濃度が高い検体の測定結果を除いたグラフである。
【図１４】本発明の実施の形態に係るコンピュータプログラムによるクロスチェック処理の手順を示すフローチャートである。
【図１５】本発明の実施の形態に係るコンピュータプログラムによるクロスチェック処理の手順を示すフローチャートである。
【図１６】本実施の形態に係るコンピュータが画像表示部に表示する測定結果表示画面の一例を示す模式図である。
【図１７】本発明の実施の形態に係るコンピュータプログラムによる相関関係の設定処理の手順を示すフローチャートである。
【図１８】本発明の実施の形態に係るコンピュータプログラムによる相関関係の設定処理の手順を示すフローチャートである。
【図１９】ランク設定画面の一例を示す模式図である。
【図２０】クロスチェックテーブル設定画面の一例を示す模式図である。
【符号の説明】
【００９０】
１      測定結果チェックシステム
２      尿定性分析装置
３      尿中有形成分分析装置
４,５      搬送装置
６      コンピュータ
７      検体容器
７ａ      検体ラック
２１      制御部
２２      通信部
２３      第１測定部
２４      第２測定部
３１      制御部
３２      通信部
３３      測定部
３３ａ      反応部
３３ｂ      流路
３３ｃ      シースフローセル
３３ｄ      導電率センサ
３３ｅ      オリフィス
３３ｆ      電極
３３ｇ      直流電源
３３ｉ      電流制御回路
３３ｋ      照射レンズ系
３３ｍ      ビームストッパ
３３ｎ      コレクタレンズ
３３ｏ      ピンホール
３３ｐ      ダイクロイックフィルタ
３３ｑ      レンズ
３３ｒ      フォトダイオード
３３ｓ      色ガラスフィルタ
３３ｔ      光電子増倍管
３４      絶縁チューブ
３５ａ，３５ｂ      金属電極
３６      導電率検出回路
６１      本体
６２      画像表示部
６３      入力部
６１ａ      ＣＰＵ
６１ｂ      ＲＯＭ
６１ｃ      ＲＡＭ
６１ｆ      入出力インタフェース
６１ｇ      通信インタフェース
６１ｈ      画像出力インタフェース
６４      可搬型記録媒体
【図１】
2006098219.tif 000003
【図２】
2006098219.tif 000004
【図３】
2006098219.tif 000005
【図４】
2006098219.tif 000006
【図５】
2006098219.tif 000007
【図６】
2006098219.tif 000008
【図７】
2006098219.tif 000009
【図８】
2006098219.tif 000010
【図９】
2006098219.tif 000011
【図１０】
2006098219.tif 000012
【図１１】
2006098219.tif 000013
【図１２】
2006098219.tif 000014
【図１３】
2006098219.tif 000015
【図１４】
2006098219.tif 000016
【図１５】
2006098219.tif 000017
【図１６】
2006098219.tif 000018
【図１７】
2006098219.tif 000019
【図１８】
2006098219.tif 000020
【図１９】
2006098219.tif 000021
【図２０】
2006098219.tif 000022